(57)【要約】【課題】容易で素早い操作でのスケジュール内容の入力の受け付けおよび管理が可能な情報処理装置を提供する。【解決手段】情報処理装置は、メモリに記憶されているスケジュールフォームに基づく期間に関連付けて、タッチパネルへのタッチ操作によって入力された手書き画像データをメモリに記憶し、その画像データと、スケジュールフォームおよび上記期間に応じた日付情報に基づいたスケジュールページ画像とを重畳して、表示装置に表示する。【選択図】図２３
2015088006.tif 000002
【特許請求の範囲】
【請求項１】
１以上のスケジュールフォームを記憶するための第１のメモリと、
前記スケジュールフォームに基づく期間に関連付けられた画像データを記憶するための第２のメモリと、
前記画像データと、前記スケジュールフォームおよび前記期間に応じた日付情報に基づいたスケジュール画像とを重畳して表示装置に表示するための表示手段とを備える、情報処理装置。
【請求項２】
日付情報を示すカレンダーを表示するためのカレンダー表示手段をさらに備え、
前記カレンダー表示手段は、前記カレンダーのうちの前記第２のメモリに記憶されている前記画像データに関連付けられた期間に含まれる日付情報を表わす部分と前記期間に含まれない日付情報を表わす部分とを区別して表示する、請求項１に記載の情報処理装置。
【請求項３】
タッチパネルである前記表示装置に対するタッチ位置に従って得られる画像の入力を受け付けるための入力手段と、
前記スケジュールフォームに基づく期間を指定して入力された画像を、前記期間に関連付けられた画像データとして前記第２のメモリに格納するための格納手段とをさらに備える、請求項１または２に記載の情報処理装置。
【請求項４】
選択されたスケジュールフォームに対して指定された期間に基づいた日付情報を適用して前記スケジュール画像を生成するための生成手段をさらに備える、請求項１〜３のいずれかに記載の情報処理装置。
【請求項５】
前記生成手段は、前記選択されたスケジュールフォームに基づく期間に応じて、前記指定された期間を調整するための調整手段を含む、請求項４に記載の情報処理装置。
【発明の詳細な説明】
【技術分野】
【０００１】
この発明は情報処理装置、管理方法、および管理プログラムに関し、特に、スケジュール管理を行なう情報処理装置、管理方法、および管理プログラムに関する。
【背景技術】
【０００２】
従来、スケジュール管理可能な情報処理装置は、スケジュールを登録したい日付や時刻の選択、登録したいスケジュールの内容の入力を受け付けてスケジュールを登録する。該情報処理装置は、スケジュールの内容を、キーボードやタッチパネルやマイクなどの入力手段からの入力信号をテキストへ変換することで得る。
【先行技術文献】
【特許文献】
【０００３】
【特許文献１】特開平３−２３３７６７号公報
【発明の概要】
【発明が解決しようとする課題】
【０００４】
上記のようなスケジュールの内容の入力を、あたかも紙のスケジュール帳にペンで記入するように容易で素早い操作で行ないたい、というニーズがある。
【０００５】
本発明はこのような問題に鑑みてなされたものであって、容易で素早い操作でのスケジュール内容の入力の受け付けおよび管理が可能な情報処理装置、管理方法、および管理プログラムを提供することを目的としている。
【課題を解決するための手段】
【０００６】
上記目的を達成するために、本発明のある局面に従うと、情報処理装置は１以上のスケジュールフォームを記憶するための第１のメモリと、画像データと、スケジュールフォームおよび期間に応じた日付情報に基づいたスケジュール画像とを重畳して表示装置に表示するための表示手段とを備える。
【０００７】
好ましくは、情報処理装置は日付情報を示すカレンダーを表示するためのカレンダー表示手段をさらに備え、カレンダー表示手段は、カレンダーのうちの第２のメモリに記憶されている画像データに関連付けられた期間に含まれる日付情報を表わす部分と当該期間に含まれない日付情報を表わす部分とを区別して表示する。
【０００８】
好ましくは、情報処理装置は、タッチパネルである表示装置に対するタッチ位置に従って得られる画像の入力を受け付けるための入力手段と、スケジュールフォームに基づく期間を指定して入力された画像を、期間に関連付けられた画像データとして第２のメモリに格納するための格納手段とをさらに備える。
【０００９】
好ましくは、情報処理装置は、選択されたスケジュールフォームに対して指定された期間に基づいた日付情報を適用してスケジュール画像を生成するための生成手段をさらに備える。
【００１０】
より好ましくは、生成手段は、選択されたスケジュールフォームに基づく期間に応じて、指定された期間を調整するための調整手段を含む。
【００１１】
本発明の他の局面に従うと、管理方法は、記憶されているスケジュールフォームに基づく期間に関連付けて、入力された画像データをメモリに記憶するステップと、画像データと、スケジュールフォームおよび期間に応じた日付情報に基づいたスケジュール画像とを重畳して表示装置に表示するステップとを備える。
【００１２】
本発明のさらに他の局面に従うと、管理プログラムはコンピュータにスケジュール管理を行なわせるためのプログラムであって、プログラムはコンピュータに、記憶されているスケジュールフォームに基づく期間に関連付けて、入力された画像データをメモリに記憶するステップと、画像データと、スケジュールフォームおよび期間に応じた日付情報に基づいたスケジュール画像とを重畳して表示装置に表示するステップとを実行させる。
【発明の効果】
【００１３】
この発明によると、容易で素早い操作でスケジュール内容の入力の受け付けおよび管理を行なうことが可能になる。
【図面の簡単な説明】
【００１４】
【図１】実施の形態にかかる携帯端末の外観の具体例を示す図である。
【図２】携帯端末の装置構成の具体例を示すブロック図である。
【図３】携帯端末の機能構成の具体例を示すブロック図である。
【図４】携帯端末でスケジュール画像の作成時の表示画面の遷移の具体例を表わした図である。
【図５】携帯端末でスケジュール画像の作成時の表示画面の遷移の具体例を表わした図である。
【図６】携帯端末でスケジュール画像の作成時の表示画面の遷移の具体例を表わした図である。
【図７】スケジュールフォームの具体例を表わした図である。
【図８】スケジュールフォームの具体例を表わした図である。
【図９】スケジュールフォームの具体例を表わした図である。
【図１０】スケジュールフォームの具体例を表わした図である。
【図１１】スケジュールフォームの具体例を表わした図である。
【図１２】スケジュール帳データのデータ構成を説明するための図である。
【図１３】携帯端末でのスケジュール帳データの管理構造を説明するための図である。
【図１４】携帯端末でのスケジュール画像を作成する際の動作の一例を表わすフローチャートである。
【図１５】図１４のステップＳ１０９での期間調整処理を表わしたフローチャートである。
【図１６】図１４のステップＳ１０９での期間調整処理の他の例を表わしたフローチャートである。
【図１７】図１４のステップＳ１１１での処理の一例を表わしたフローチャートである。
【図１８】携帯端末を用いてスケジュール内容を入力する際のユーザの操作を説明するための図である。
【図１９】携帯端末を用いてスケジュール内容を入力する際のユーザの操作を説明するためのフローチャートである。
【図２０】携帯端末を用いてスケジュール内容を入力する際のユーザの操作を説明するための図である。
【図２１】携帯端末を用いてスケジュール内容を入力する際のユーザの操作を説明するための図である。
【図２２】携帯端末を用いてスケジュール内容を入力する際のユーザの操作を説明するためのフローチャートである。
【図２３】手書きのスケジュール内容の一例を表わした図である。
【図２４】携帯端末でのスケジュール内容を入力する際の動作の一例を表わすフローチャートである。
【図２５】携帯端末でスケジュールを表示する際の表示画面の遷移の具体例を表わした図である。
【図２６】携帯端末でスケジュールを表示する際の表示画面の遷移の具体例を表わした図である。
【図２７】携帯端末でスケジュールを表示する際の表示画面の遷移の具体例を表わした図である。
【図２８】携帯端末でスケジュールを表示する際の表示画面の遷移の具体例を表わした図である。
【図２９】携帯端末でスケジュールを表示する際の表示画面の遷移の具体例を表わした図である。
【図３０】携帯端末でスケジュールを表示する際の表示画面の遷移の具体例を表わした図である。
【図３１】携帯端末でスケジュールを表示する際の表示画面の遷移の具体例を表わした図である。
【図３２】携帯端末でスケジュールを表示する際の表示画面の遷移の具体例を表わした図である。
【図３３】携帯端末でスケジュールを表示する際の表示画面の遷移の具体例を表わした図である。
【図３４】携帯端末でスケジュールを表示する際の表示画面の遷移の具体例を表わした図である。
【図３５】携帯端末でスケジュールを表示する際の表示画面の遷移の具体例を表わした図である。
【図３６】携帯端末でのスケジュール帳の表示の際の動作の一例を表わすフローチャートである。
【図３７】図３６のステップＳ４１７での動作の一例を表わしたフローチャートである。
【図３８】スケジュール帳を選択するための画面の具体例を表わした図である。
【図３９】スケジュール帳の表示画面の一例を表わした図である。
【図４０】携帯端末でのスケジュール帳の表示の際の動作の他の例を表わすフローチャートである。
【発明を実施するための形態】
【００１５】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１６】
＜装置構成＞
図１は、本実施の形態にかかる情報処理装置の一例としての携帯端末１００の外観の具体例を示す図である。図１を参照して、携帯端末１００は、正面に当たる第１の面に配置された表示装置および入力装置であるタッチパネル１３を含む。タッチパネル１３は、液晶パネルに感圧式タッチパネルを重ねたものであって、スタイラスペン２００などによるタッチ入力を受け付ける。なお、タッチパネル１３は、静電容量方式や光センサを用いて画像スキャンする方式、電磁誘導方式、赤外線発光部と受光部とによる赤外線光学イメージング方式などの他の方式を採用したものであっても構わない。また、携帯端末１００は、上記第１の面以外に配置された、電源ボタン１４と、ＵＳＢ（Universal  Serial  Bus）ケーブルなどの通信ケーブルを接続するための通信Ｉ／Ｆ（インタフェース）１５とを含む。また、携帯端末１００は、装置全体に電力を供給するための充電池１６を内蔵する。
【００１７】
図２は、携帯端末１００の装置構成の具体例を示すブロック図である。図２を参照して、携帯端末１００は、装置全体を制御するためのＣＰＵ（Central  Processing  Unit）と、ＣＰＵ１０で実行されるプログラムや後述する画像データなどを記憶するためのメモリであるＲＯＭ（Read  Only  Memory）１１と、ＣＰＵ１０でプログラムを実行するときの作業領域となるメモリであるＲＡＭ（Random  Access  Memory）１２と、感圧式の液晶パネルであるタッチパネル１３と、電源ＯＮ／ＯＦＦのユーザ指示を受け付けるための電源ボタン１４と、ＵＳＢケーブルなどの通信ケーブルを接続して外部装置や外部の記憶媒体との間の通信を行なうための通信Ｉ／Ｆ１５と、充電池１６とを含む。
【００１８】
＜動作概要＞
（スケジュール画像の作成）
携帯端末１００は、予めメモリ（第１のメモリ）に、スケジュール帳のフォーマットであるスケジュールフォームを１以上の記憶している。携帯端末１００はその中から用いるスケジュールフォームの選択を受け付け、さらに、作成する期間の指定を受け付けることで、選択されたスケジュールフォームに対して指定された期間に基づいた日付情報を適用することでスケジュール画像を生成する。携帯端末１００は、日付情報にさらに時間の情報を加えた日時情報を適用してスケジュール画像を生成してもよい。スケジュール画像とは、予め用意されているスケジュールフォームに対して日付情報を適用することで生成される画像を指す。すなわち、スケジュールフォームに対して日付を表わす画像が重畳された画像であって、タッチパネル１３の表示画面に表示されるスケジュール帳の１ページずつの画像を指す。
【００１９】
（スケジュール内容の入力）
携帯端末１００は、タッチパネル１３に対するタッチ操作に従って、スケジュール画像ごとにスケジュールの内容の入力を受け付ける。そして、携帯端末１００は、入力された画像のデータを手書き画像データとしてスケジュール画像に応じた期間に関連付けてメモリ（第２のメモリ）に格納して記憶する。
【００２０】
（スケジュールの表示）
携帯端末１００は、スケジュール画像に、当該スケジュール画像に応じた期間に関連付けられた手書き画像データを重畳してタッチパネル１３に表示する。好ましくは、携帯端末１００は、１カ月など長期間のカレンダー画面で、メモリに記憶されている手書き画像データに関連付けられた期間を提示する。提示の一例として、携帯端末１００は、カレンダー画面の上記期間に応じた日に下線を付す。携帯端末１００は、提示した期間の中から選択を受け付け、選択された期間のスケジュール画像に当該期間に関連付けられた手書き画像を重畳して表示する。
【００２１】
＜機能構成＞
図３は、上記動作を行なうための携帯端末１００の機能構成の具体例を示すブロック図である。図３の各機能は、携帯端末１００のＣＰＵ１０がＲＯＭ１１に記憶されているプログラムをＲＡＭ１２上に読み出して実行することで、主にＣＰＵ１０によって実現される。しかしながら、少なくとも一部の機能が図２に表わされた他の構成、または図示されていない電気回路などのハードウェア構成などによって実現されてもよい。
【００２２】
図３を参照して、ＲＯＭ１１などのメモリは、１以上のスケジュールフォームを記憶するための第１のメモリであるスケジュールフォーム記憶部１１１と、スケジュールフォームに基づく期間に関連付けられた手書き画像データを記憶するための第２のメモリである手書き画像データ記憶部１１２と、スケジュール画像を記憶するための第３のメモリであるスケジュール画像記憶部１１３とを含む。
【００２３】
さらに図３を参照して、ＣＰＵ１０は、選択されたスケジュールフォームに対して指定された期間に基づいた日付情報を適用してスケジュール画像を生成するための生成部１０１と、タッチパネル１３に対するタッチ位置に従って得られる画像である手書き画像の入力を受け付けるための画像入力部１０２と、スケジュールフォームに基づく期間を指定して入力された手書き画像を上記期間に関連付けられた手書き画像データとして手書き画像データ記憶部１２２に格納するための格納部１０３と、日付情報を示すカレンダーを表示するためのカレンダー表示部１０４と、手書き画像データと期間に基づいた日付情報とを重畳して表示装置であるタッチパネル１３に表示するための表示部１０５とを含む。生成部１０１は、選択されたスケジュールフォームに基づく期間に応じて、指定された期間を調整するための調整部１０６を含む。好ましくは、表示部１０５は、スケジュール画像に手書き画像データを重畳してタッチパネル１３に表示する。
【００２４】
［第１の実施の形態］
第１の実施の形態として、携帯端末１００でのスケジュール画像の作成について説明する。
【００２５】
図４〜図６は、携帯端末１００でスケジュール画像の作成時の表示画面の遷移の具体例を表わした図である。すなわち、図４は、スケジュールフォーム記憶部１２１に記憶されているスケジュールフォームの一覧を表示する画面である。スケジュール画像を作成しようとするユーザは、図４の画面からスケジュール画像に用いるスケジュールフォームを選択する。
【００２６】
一般に、スケジュール帳には、１日を１ページで表わすフォーム、１週間を１ページまたは連続する２ページ（見開き）で表わすフォーム、および１カ月を１ページまたは連続する２ページ（見開き）で表わすフォームなど、様々なフォームがある。図７〜図１１は、スケジュールフォームの具体例を表わした図である。
【００２７】
図７の例は、１ページに１日を表わすスケジュールフォームの具体例であって、いわゆるバーチカルタイプと呼ばれる、時間軸を縦に配置して１日のスケジュールを時間管理するスケジュールフォームの具体例である。図７のスケジュールフォームでは、１ページ分のスケジュール画像（以下、１ページ分のスケジュール画像をスケジュールページ画像とも称する）は１日分の期間のスケジュールを表わすことができる。
【００２８】
図８の例は、１ページに１週間を表わすスケジュールフォームの具体例であって、いわゆるバーチカルタイプと呼ばれる、日付を縦に配置して１週間のスケジュールを１日単位で管理するスケジュールフォームの具体例である。図８のスケジュールフォームでは、スケジュールページ画像は１週間（７日）分の期間のスケジュールを表わすことができる。
【００２９】
図９の例は、連続する２ページ（見開き）に１週間を表わすスケジュールフォームの具体例である。図９のスケジュールフォームは、２ページ分の画像を１組とする単位で構成される。図９のスケジュールフォームでは、連続する２ページ分のスケジュールページ画像が１週間（７日）分の期間のスケジュールを表わすことができる。すなわち、スケジュールページ画像は３日分または４日分の期間のスケジュールを表わすことができる。
【００３０】
図１０の例は、連続する２ページ（見開き）に１カ月を表わすスケジュールフォームの具体例である。図１０のスケジュールフォームは、２ページ分の画像を１組とする単位で構成される。図１０のスケジュールフォームは、連続する２ページ分のスケジュール画像である２つのスケジュール画像で１カ月分の期間のスケジュールを表わし、１ページ分のスケジュール画像で１５日分または１６日分の期間のスケジュールを表わすことができる（ただし、２月のスケジュールについては、前半が１５日分、後半は１３日分または１４日分（うるう年）の期間のスケジュールとなる）。すなわち、先のスケジュール画像で１５日分、後のスケジュール画像で残りの日数分の期間のスケジュールを表わすことができる。
【００３１】
図１１の例は、連続する２ページ（見開き）に１週間を表わし、さらに３ページ目にメモを表わすスケジュールフォームの具体例である。図１１のスケジュールフォームは、３ページ分の画像を１組とする単位で構成される。図１１のスケジュールフォームでは、連続する３ページ分のスケジュールページ画像が１週間（７日）分の期間のスケジュールを表わすことができる。
【００３２】
図５は、選択されたスケジュールフォームを用いてスケジュール画像作成の指示を入力するための画面である。スケジュール画像を作成しようとするユーザは、図５の画面で選択したスケジュールフォームのプレビュー表示を指示することができる（プレビュー表示ボタン）。図６は、図５の画面で選択したスケジュールフォームのプレビュー表示の具体例を表わした図である。該ユーザは、図６の画面にて、選択したスケジュールフォームを確認することができる。さらに、図５の画面で、該ユーザは、スケジュール画像を作成する期間（たとえば開始日および終了日）を指定することができる。そして、該ユーザは、図５の画面でスケジュール画像の作成を指示することができる（作成ボタン）。好ましくは、図５の画面は、第３のメモリであるスケジュール画像記憶部１１３の空き容量（残りページ）の表示を含む。
【００３３】
選択されたスケジュールフォームで指定された期間に基づいてスケジュール画像を作成すると、携帯端末１００は、１つ以上のスケジュールページ画像の組を１冊のスケジュール帳のように、スケジュール画像記憶部１１３に格納して記憶する。以降、１つ以上のスケジュールページ画像の組として記憶されるスケジュール画像をスケジュール帳とも称する。
【００３４】
図１２は、スケジュール帳データのデータ構成を説明するための図である。図１２の例は、１週間を連続する２ページ（見開き）に表わすスケジュールフォーム（図９）を用いて３週間分のスケジュール画像が作成された場合のスケジュール帳データのデータ構成を表わしている。携帯端末１００は、ユーザ指示に従って３週間分である６枚のスケジュールページ画像を作成し、これらスケジュールページ画像のデータを１組のスケジュール帳データとしてスケジュール画像記憶部１１３に格納して記憶する。
【００３５】
図１３は、スケジュール画像記憶部１１３でのスケジュール帳データの管理構造を説明するための図である。図１３は、スケジュール画像記憶部１１３でのスケジュール帳データの管理構造をテーブル形式で表わしたものである。図１３の例は、１週間を連続する２ページ（見開き）に表わし、さらに３ページ目にメモを表わすスケジュールフォーム（図１１）を用いて１週間分のスケジュール画像が作成された場合のスケジュール帳データの管理構造を表わしている。この場合、携帯端末１００は、ユーザ指示に従って１週間分である３枚のスケジュールページ画像を作成し、スケジュール画像記憶部１１３に格納して記憶する。図１３の属性「Ｓｃｈｅｄｕｌｅ  Ｎｏ．」は当該スケジュール帳のページデータが属するスケジュール帳を一意に識別する識別番号を表わし、ＣＰＵ１０が、スケジュール画像の作成を終了した際に自動的に付与する。図１３の属性「Ｓｃｈｅｄｕｌｅ  Ｐａｇｅ  Ｎｏ．」は、スケジュール帳のスケジュールページ画像を一意に識別する識別番号を表わし、ＣＰＵ１０がスケジュールページ画像を作成するたびに自動的に付与する。該識別番号により、スケジュール画像記憶部１１３に記憶されているスケジュールページ画像はそれぞれ一意に識別される。属性「開始日」「終了日」は、当該スケジュールページ画像（ページ）に関連付けられた期間を表わす。図１１のスケジュールフォームを用いた図１３の例の場合、第１ページ目のスケジュールページ画像は月曜日〜水曜日までの期間に関連付けられ、第２ページ目のスケジュールページ画像は木曜日〜日曜日までの期間に関連付けられ、第３ページ目のスケジュールページ画像（メモ）は月曜日〜日曜日までの期間に関連付けられている。属性「スケジュールページデータ画像位置」は、当該スケジュールページ画像が記憶されるスケジュール画像記憶部１１３上の位置を表わす。
【００３６】
＜動作フロー＞
図１４は、携帯端末１００でのスケジュール画像を作成する際の動作の一例を表わすフローチャートである。図１４のフローチャートに表わされた動作は、携帯端末１００のＣＰＵ１０がＲＯＭ１１に記憶されているプログラムをＲＡＭ１２上に読み出して実行し、図３の各機能を発揮することによって実現される。
【００３７】
図１４を参照して、ＣＰＵ１０は、はじめに図４のスケジュールフォームの一覧画面を表示して、ユーザからスケジュールフォームの選択を受け付ける（ステップＳ１０１）。好ましくは、ＣＰＵ１０は、スケジュールフォームの選択を受け付けると、スケジュール画像を記憶するための第３のメモリであるスケジュール画像記憶部１１３に選択されたスケジュールフォームの最小単位分のメモリの残量があるか否かを確認する。メモリ残量が不足している場合（ステップＳ１０３でＮＯ）、ＣＰＵ１０は、エラー表示を行なった後（ステップＳ１０５）、処理を最初に戻して、再度図４のスケジュールフォームの一覧画面を表示してユーザからスケジュールフォームの選択を受け付ける。なお、ＨＤＤ（Hard  Disk  Drive）などの大型記憶装置を利用するなどしてスケジュール画像を記憶するための第３のメモリであるスケジュール画像記憶部１１３の容量が十分にある場合には、ＣＰＵ１０は、ステップＳ１０３の判断をスキップしてもよい。
【００３８】
メモリ残量がある場合（ステップＳ１０３でＹＥＳ）、次に、ＣＰＵ１０は、図５の作成画面を表示して、ユーザからスケジュール画像を作成する期間の指定を受け付ける（ステップＳ１０７）。そして、図５の画面で作成の指示を受け付けると、ＣＰＵ１０は、スケジュール画像を作成する（ステップＳ１１１）。好ましくはＣＰＵ１０は、受け付けた期間を選択されたスケジュールフォーム等に応じて調整した上で（ステップＳ１０９）、スケジュール画像を作成する（ステップＳ１１１）。そして、ＣＰＵ１０は、作成したスケジュール画像をスケジュール画像記憶部１１３に格納して記憶する（ステップＳ１１３）。
【００３９】
図１５は、上記ステップＳ１０９での期間調整処理を表わしたフローチャートである。図１５を参照して、はじめに、ＣＰＵ１０は、指定された期間の開始日は、選択されたスケジュールフォームの開始日として設定可能な日であるか否かを判断する（ステップＳ２０１）。この判断のために、ＣＰＵ１０は、予め記憶しているスケジュールフォームごとに、設定可能な開始日の条件を記憶しておく。または、ＣＰＵ１０は、スケジュールフォームを解析することで上記条件を特定可能であってもよい。たとえば、図８の、月曜から始まる１週間を１ページに表わすスケジュールフォームが選択されている場合、期間の開始日としては月曜が選択されるべきである。そこで、ＣＰＵ１０は、ユーザの指定した期間の開始日が月曜である場合には当該スケジュールフォームの開始日として適当と判断し、月曜以外の日である場合には設定可能な日ではないと判断する。
【００４０】
指定された期間の開始日がスケジュール画像の開始日に設定可能と判断された場合（ステップＳ２０１でＹＥＳ）、ＣＰＵ１０は、指定された期間の開始日をスケジュール画像の開始日に設定する（ステップＳ２０３）。スケジュール画像の開始日として設定可能でないと判断された場合（ステップＳ２０１でＮＯ）、ＣＰＵ１０は、指定された期間の開始日よりも以前の日であって、かつ、当該スケジュールフォームの開始日として設定可能な直近の日を開始日に設定する（ステップＳ２０５）。たとえば、上記の例において火曜日の日が指定されていた場合、ＣＰＵ１０は、その前日の月曜日を開始日に設定する。
【００４１】
次に、ＣＰＵ１０は、指定された期間の終了日が設定した開始日以降の日であるか否かを確認する。設定した開始日以降の日である場合（ステップＳ２０７でＹＥＳ）、次に、ＣＰＵ１０は、指定された期間の終了日が選択されたスケジュールフォームの終了日として設定可能な日であるか否かを判断する（ステップＳ２０９）。ここでの判断も、上記の開始日の判断と同様である。ＣＰＵ１０は、指定された期間の終了日が該スケジュールフォームの終了日として設定可能である場合は（ステップＳ２０９でＹＥＳ）、その日を終了日として、指定された期間の終了日が該スケジュールフォームの終了日として設定可能でない場合は（ステップＳ２０９でＮＯ）、指定された期間の終了日以後であって、かつ、当該スケジュールフォームの終了日として設定可能な直近の日を終了日とする（ステップＳ２１１）。ステップＳ２１１でＣＰＵ１０は、たとえば、上記の例において土曜日の日が指定されていた場合にはその翌日の日曜日を終了日に設定する。
【００４２】
そして、好ましくは、ＣＰＵ１０は、その期間のスケジュール画像を記憶するために必要なメモリ容量を算出して（ステップＳ２１３）、スケジュール画像を記憶するための第３のメモリであるスケジュール画像記憶部１１３に作成したスケジュール画像を記憶することが可能なメモリの残量があるか否かを確認する（ステップＳ２１５）。メモリ残量が不足している場合（ステップＳ２１５でＮＯ）、ＣＰＵ１０は、指定された期間の終了日または上記ステップＳ２１１で設定された終了日よりも以前の該スケジュールフォームの終了日として設定可能な日のうちの、スケジュール画像を記憶するために必要なメモリ容量がスケジュール画像記憶部１１３のメモリ残量以内（メモリ残容量≧必要な容量）となる最も遅い日を終了日に設定する（ステップＳ２１７）。そして、ＣＰＵ１０は、一連の動作を終了して、図１４の動作に戻る。
【００４３】
メモリ残量がスケジュール画像を記憶するために必要なメモリ容量よりも多い場合には（ステップＳ２１５でＹＥＳ）、指定された期間の終了日または上記ステップＳ２１１で設定された終了日を終了日に設定する。そして、ＣＰＵ１０は、一連の動作を終了して、図１４の動作に戻る。
【００４４】
なお、スケジュール画像を記憶するための第３のメモリであるスケジュール画像記憶部１１３の容量が十分にある場合には、ＣＰＵ１０は、ステップＳ２１５の判断をスキップしてもよい。
【００４５】
指定された期間の終了日が設定した開始日よりも前の日であった場合（ステップＳ２０７でＮＯ）、ＣＰＵ１０は、設定した開始日以後の日であって、かつ、該スケジュールフォームで終了日に設定可能な直近の日を終了日に設定する（ステップＳ２１９）。上記の例の場合、ＣＰＵ１０は、月曜日から次の日曜日までの１週間の期間を設定することになる。すなわち、上記ステップＳ２１９では、選択されたスケジュールフォームの最小単位分の期間が設定されることになる。この場合、上記ステップＳ１０３でＣＰＵ１０は、最小単位分のメモリ残量があることを確認しているため、以降のメモリの確認を行なうことなく上記の日を終了日に設定し、一連の動作を終了して、図１４の動作に戻ることができる。
【００４６】
なお、図１５はスケジュール画像を記憶するためのメモリ容量がメモリ残量以下となるように期間を調整する動作であるが、調整は期間に限定されるものではない。他の例として、スケジュールフォームを調整してもよい。すなわち、図１６を参照して、設定した期間のスケジュール画像を記憶するために必要なメモリ容量に対してメモリ残量が不足している場合（ステップＳ２１５でＮＯ）、ＣＰＵ１０は、選択されたスケジュールフォーム以外の選択されていないスケジュールフォームについても同様にして期間を設定した上で、それぞれのスケジュール画像を記憶するために必要なメモリ容量を算出する（ステップＳ２２１）。そして、その中に、スケジュール画像を記憶するためのメモリ容量がメモリ残量以下であるスケジュールフォームがある場合（ステップＳ２２３でＹＥＳ）、ＣＰＵ１０は、そのスケジュールフォームを選択可能に提示して（ステップＳ２２５）、その中からユーザの選択を受け付けてもよい（ステップＳ２２７）。なお、好ましくはＣＰＵ１０は、上記ステップＳ２２５で、選択されたスケジュールフォームに類似するスケジュールフォームから順に提示するようにする。そして、選択を受け付けると、ＣＰＵ１０は、そのスケジュールフォームに期間を設定し（ステップＳ２２９）、一連の動作を終了してもよい。なお、該当するスケジュールフォームがない場合には（ステップＳ２２３でＮＯ）、ＣＰＵ１０はその旨を報知して（ステップＳ２３１）、一連の動作を終了することになる。
【００４７】
なお、上記ステップＳ１１１でＣＰＵ１０は、一例として、図１７のような処理でスケジュール画像を作成する。すなわち、図１７を参照して、ＣＰＵ１０は、図１５または図１６の動作で設定された期間を、選択されたスケジュールフォームの最小単位の期間で区切り（ステップＳ２４１）、区切られた期間を表わす日付情報をそれぞれスケジュールフォームに埋め込むことで各スケジュールページ画像を作成する（ステップＳ２４３）。これにより、これらスケジュールページ画像からなる１組のスケジュール画像が作成される。
【００４８】
＜第１の実施の形態の効果＞
第１の実施の形態にかかる携帯端末１００が以上の動作を行なうことで、ユーザの所望する形態に最も近いスケジュール画像を容易で素早い操作によって作成し、メモリに記憶することができる。
【００４９】
［第２の実施の形態］
第２の実施の形態として、携帯端末１００でのスケジュール内容の入力について説明する。
【００５０】
図１８〜図２２は、携帯端末１００を用いてスケジュール内容を入力する際のユーザの操作を説明するための図である。一例として、スケジュール内容の入力を受け付ける際、ＣＰＵ１０は、図１８の選択画面を表示して、スケジュール内容の入力の対象とするスケジュール帳の選択を受け付ける。
【００５１】
図１９を参照して、ユーザは、図１８の選択画面に表示されたスケジュール帳の中からスケジュール内容の入力を行ないたいスケジュール帳を選択する（ステップ＃１１）。さらに、ユーザは、そのスケジュール帳の中から、スケジュール内容を入力したい日付・期間が含まれるスケジュールページ画像（ページ）を選択する（ステップ＃１２）。そして、ユーザは、タッチパネル１３をタッチすることで手書きでスケジュールを記入または消去する（ステップ＃１３）。
【００５２】
他の例として、ＣＰＵ１０は、スケジュールの表示が選択されると、ホーム画面である図２０のカレンダー画面を表示し、スケジュール内容の入力の対象とする日付または期間の選択を受け付ける。このとき、選択された日付または期間を含むスケジュール帳が複数記憶されている場合、図１８のような画面を表示して該当するスケジュール帳を選択可能に提示し、その中から対象とするスケジュール帳の選択を受け付けてもよい。
【００５３】
なお、選択された日付または期間を含むスケジュール帳がメモリに記憶されていない場合、ＣＰＵ１０は、図２１のような画面を表示して該当するスケジュール帳がない旨を報知してもよい。
【００５４】
図２２を参照して、ユーザは、図２０のカレンダーの中からスケジュール内容の入力を行ないたい日付または期間にタッチして選択する（ステップ＃２１）。そして、ユーザは、タッチパネル１３をタッチすることで手書きでスケジュールを記入または消去する（ステップ＃２２）。
【００５５】
図２３は、手書きのスケジュール内容の一例を表わした図である。上記ステップ＃１２または＃２１で該当するスケジュールページ画像が選択されると、図２３を参照してＣＰＵ１０は、選択されたスケジュールページ画像を表示し、その画面に対する手書きでの入力を受け付ける。
【００５６】
＜動作フロー＞
図２４は、携帯端末１００でのスケジュール内容を入力する際の動作の一例を表わすフローチャートである。図２４のフローチャートに表わされた動作は、携帯端末１００のＣＰＵ１０がＲＯＭ１１に記憶されているプログラムをＲＡＭ１２上に読み出して実行し、図３の各機能を発揮することによって実現される。
【００５７】
図２４を参照して、ＣＰＵ１０は、ユーザによるスケジュール帳の選択および日付または期間の選択、あるいは、カレンダーにおける日付または期間の選択を受け付けることで、スケジュール内容を入力する対象となるスケジュールページ画像を特定する（ステップＳ３０１）。ＣＰＵ１０は、タッチパネル１３に対するユーザのタッチ操作を受け付けて、そのタッチ操作が終了して手書きが終了したことを検知すると（ステップＳ３０３でＹＥＳ）、手書き画像を特定する（ステップＳ３０５）。ＣＰＵ１０は、入力された手書き画像を、選択されたカレンダーページ画像に対応した期間と関連付けて手書き画像データを記憶するための第２のメモリである手書き画像データ記憶部１１２に格納して記憶する（ステップＳ３０７）。ステップＳ３０７でＣＰＵ１０は、手書き画像データにさらにスケジュールフォームも関連付けてもよい。
【００５８】
＜他の例＞
なお、携帯端末１００は、スケジュール内容の入力に加えて、当該スケジュール帳の名前の入力や変更を受け付けてもよい。すなわち、一例としてＣＰＵ１０は、上記と同様にして名前を入力または変更する対象とするスケジュール帳の選択を受け付けると、図２５のスケジュール帳名変更画面を表示して、その画面上でのタッチ操作に従って入力された手書き画像をスケジュール帳名を表わす画像として、当該スケジュール帳と関連付けてメモリに記憶してもよい。
【００５９】
なお、当該スケジュール帳の期間は上記の作成処理によってＣＰＵ１０において特定されるものであるため、ＣＰＵ１０は、上記のような処理でユーザから任意の入力や変更は受け付けないものとする。具体的には、ＣＰＵ１０は、図２５のスケジュール帳の表紙画像のうちの下部にあるスケジュールの期間を表わす「２０１３／０４／０１−２０１３／１０／０６」が表示されているエリアに対してタッチを受け付けても、当該エリアに対する手書き画像の入力を受け付けないよう制御する。一方、ＣＰＵ１０は、図２５のスケジュール帳の表紙画像のうちの上記エリアよりも上方のエリアについては、タッチを受け付けることで手書き画像の入力を受け付けるよう制御する。ＣＰＵ１０がこのような制御を行なうことで、ユーザは任意のスケジュール名（たとえば自分に分かるような名前）をスケジュール帳に付与できるともに、たとえスケジュール名だけで厳密にスケジュール帳の期間が分からない場合であっても、表紙画像よりスケジュール帳の期間を明確に知ることができる。また、複数種類のスケジュール帳が登録されている場合に、ユーザは、当該複数種類のスケジュール帳のリストの中から必要なスケジュールの期間を含むスケジュール帳を容易に選択することができる。
【００６０】
＜第２の実施の形態の効果＞
第２の実施の形態にかかる携帯端末１００が以上の動作を行なうことで、ユーザはあたかも紙のスケジュール帳に書き込むような容易で直感的な操作でスケジュール内容を入力し、記憶させることができる。
【００６１】
［第３の実施の形態］
第３の実施の形態として、携帯端末１００でのスケジュールの表示について説明する。
【００６２】
図２６〜図３５は、携帯端末１００でスケジュールを表示する際の表示画面の遷移の具体例を表わした図である。一例として、携帯端末１００はユーザ指示に従って図２６の一年の日付情報を示すカレンダーを表示し、その中から、月間カレンダーを表示する月の選択を受け付ける。
【００６３】
携帯端末１００は、カレンダーを表示する際に、カレンダーのうちの手書き画像データに関連付けられた期間に含まれる日付情報を表わす部分と当該期間に含まれない日付情報を表わす部分とを区別して表示する。一例として、図２７のように、１ページに１日（９／２６）を表わすスケジュールフォーム（図７）を用いたスケジュール帳がメモリに記憶されている場合、当該スケジュール帳に対して入力された手書き画像は該当する１日（９／２６）に関連付けてメモリに記憶されている場合、ＣＰＵ１０は、図２８のように月間カレンダーの該当する日付（９／２６）に下線を付して表示する。
【００６４】
また、図２３のように、１ページに４日（９／２６〜９／２９）を表わすスケジュールフォーム（図９）を用いたスケジュール帳がメモリに記憶されている場合、当該スケジュール帳に対して入力された手書き画像は該当する４日（９／２６〜９／２９）に関連付けてメモリに記憶されている。この場合、ＣＰＵ１０は、図２９のように月間カレンダーを、該当する期間（９／２６〜９／２９）に下線を付して表示する。
【００６５】
また、メモを含んだスケジュールフォーム（図１１）を用いたスケジュール帳がメモリに記憶されている場合であって、図３０のような当該メモに対して入力された手書き画像は該当する期間（９／２３〜９／２９）に関連付けてメモリに記憶されている。この場合、ＣＰＵ１０は、図３１のように月間カレンダーを、該当する期間（９／２３〜９／２９）に下線を付して表示する。
【００６６】
すなわち、ＣＰＵ１０は、カレンダーを表示する際に、その日を含む期間に関連付けられた手書き画像がメモリに記憶されている場合に、当該日付に下線を付して表示する。もちろん、下線は一例であって、ＣＰＵ１０は特定のマークを付加したり、表示色や表示サイズを変えたりしてもよい。
【００６７】
なお、月間カレンダーは年間カレンダーからの移行のみならず、他の画面から表示させることもできる。一例として、図２３のようなスケジュールの表示画面が月間カレンダーを表示させるためのボタン（カレンダーボタン）を含み、カレンダーボタンへのタッチを受け付けることで図３１のように月間カレンダーの表示画面に遷移してもよい。また、他の例として、図３２のように、月間カレンダーの表示画面がスケジュールの表示画面に重ねて（重畳して）表示されてもよい。このとき、先に表示されていたスケジュール帳に対して入力された手書き画像がある日付のみならず、図３３のように、メモリに記憶されているすべての手書き画像に関連付けられた日付に下線が付されてもよい。
【００６８】
ＣＰＵ１０は、月間カレンダーに対してタッチを受け付けると、タッチされた日付を含む期間のスケジュール帳を表示する。なお、タッチされた日付を含む期間のスケジュール帳がメモリに記憶されていない場合には、好ましくはＣＰＵ１０は、たとえば図３４のようなメッセージを表示して、該当するスケジュール帳が登録されていない旨を報知する。または、タッチされた日付を含む期間のスケジュール帳が複数メモリに記憶されている場合には、ＣＰＵ１０は、たとえば図３５のようにこれら複数のスケジュール帳を選択可能に提示し、ユーザの選択を受け付けてもよい。
【００６９】
＜動作フロー＞
図３６は、携帯端末１００でのスケジュール帳の表示の際の動作の一例を表わすフローチャートである。図３６のフローチャートに表わされた動作は、携帯端末１００のＣＰＵ１０がＲＯＭ１１に記憶されているプログラムをＲＡＭ１２上に読み出して実行し、図３の各機能を発揮することによって実現される。
【００７０】
図３６を参照して、ＣＰＵ１０は手書き画像データを記憶するための第２のメモリである手書き画像データ記憶部１１２を参照して、記憶されている手書き画像データのそれぞれに関連付けられている期間を特定する（ステップＳ４０１）。そして、該当する日付に下線を追加して（ステップＳ４０３）、図２８のように（月間）カレンダーを表示する。
【００７１】
ＣＰＵ１０は、カレンダーの表示に対するタッチを受け付けると（ステップＳ４０５でＹＥＳ）、タッチされた日付を特定して（ステップＳ４０７）、その日付を関連付けられた期間に含む手書き画像を検索する（ステップＳ４０９）。該当する手書き画像が入力されたスケジュール帳がメモリに記憶されている場合（ステップＳ４１１でＹＥＳ）、ＣＰＵ１０は、該当するスケジュール（スケジュールページ画像）を表示する（ステップＳ４１７）。なお、このとき、該当するスケジュール帳が複数メモリに記憶されている場合には（ステップＳ４１３でＹＥＳ）、ＣＰＵ１０は、図３５の画面でこれら複数のスケジュールを選択可能に提示してユーザからの選択を受け付け（ステップＳ４１５）、選択されたスケジュール帳の該当するスケジュール（スケジュールページ画像）を表示する（ステップＳ４１７）。
【００７２】
該当するスケジュール帳がメモリに記憶されていない場合には（ステップＳ４１１でＮＯ）、ＣＰＵ１０は、以降の動作をスキップする。なおこのときＣＰＵ１０は、図３４の画面を表示して該当するスケジュール帳がない旨を報知してもよい。
【００７３】
上記ステップＳ４１７でＣＰＵ１０は、少なくとも、該当する手書き画像に、対応するスケジュールフォームに基づく期間に応じた日付情報（日付）を重畳してタッチパネル１３に表示する処理を行なう。好ましくは、ＣＰＵ１０は、スケジュールフォームと日付情報とに基づいたスケジュールページ画像に手書き画像を重畳してタッチパネル１３に表示する。
【００７４】
具体例として、ＣＰＵ１０は、図３７の動作を行なう。すなわち、図３７を参照して、ＣＰＵ１０は該当する手書き画像をメモリから読み出す（ステップＳ５０１）。また、ＣＰＵ１０は、対応するスケジュールページ画像をメモリから読み出す（ステップＳ５０３）。そして、スケジュールページ画像に手書き画像を重畳して表示する（ステップＳ５０５）。
【００７５】
＜他の例＞
なお、スケジュール表示の他の例として、メモリに記憶されているスケジュール帳を選択するための図３８の画面を表示し、表示するスケジュール帳の選択を受け付けて、携帯端末１００が選択されたスケジュール帳を表示するようにしてもよい。この場合、ＣＰＵ１０は、選択されたスケジュール帳に対して入力された手書き画像を順に表示すればよい。または、選択されたスケジュール帳に対して入力された手書き画像がメモリに記憶されていない場合には、スケジュールページ画像を順に表示すればよい。さらに、たとえば本日の日付を表示した状態でスケジュール帳の選択を受け付けると、ＣＰＵ１０は、該当する日付または当該日付を含む期間に関連付けられた手書き画像またはスケジュールページ画像を表示すればよい。また、該当する日付または当該日付を含む期間に関連付けられたスケジュールページ画像がない場合、すなわち、該当する日付が当該スケジュール帳の期間に含まれない場合には、ＣＰＵ１０は、図３９のように、当該スケジュール帳の各スケジュールページ画像を順に表示してもよい。
【００７６】
図４０は、携帯端末１００でのスケジュール帳の表示の際の動作の他の例を表わすフローチャートである。図４０を参照して、ＣＰＵ１０は、図３８の画面を表示して、ユーザから表示するスケジュール帳の選択を受け付ける（ステップＳ６０１）。当該スケジュール帳に対して入力された手書き画像がメモリに記憶されている場合（ステップＳ６０３でＹＥＳ）、ＣＰＵ１０は、該当するスケジュールを表示する（ステップＳ６０５）。ここでは、上記ステップＳ４１７と同様の処理を行なうことができる。
【００７７】
一方、当該スケジュール帳に対して入力された手書き画像がメモリに記憶されていない場合（ステップＳ６０３でＮＯ）、ＣＰＵ１０は、当該スケジュール帳のスケジュールページ画像を順に表示する（ステップＳ６０７）。
【００７８】
＜第３の実施の形態の効果＞
第３の実施の形態にかかる携帯端末１００が以上の動作を行なうことで、登録したスケジュール帳や登録した予定を、あたかも紙のスケジュール帳の１ページを開けるような直感的で容易な、かつ素早い操作で表示させることができる。
【００７９】
［第４の実施の形態］
さらに、上述の各動作をＣＰＵ１０に実行させるためのプログラムを提供することもできる。これにより、当該ＣＰＵ１０を搭載した通常のＰＣ（パーソナルコンピュータ）など汎用のコンピュータを上記の携帯端末１００として機能させることができるようになる。
【００８０】
このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８１】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８２】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８３】
提供されるプログラム製品は、ハードディスクなどのプログラム格納部にインストールされて実行される。なお、プログラム製品は、プログラム自体と、プログラムが記録された記録媒体とを含む。
【００８４】
＜まとめ＞
本発明の局面は、次のように表わすことができる。
【００８５】
（１）
１以上のスケジュールフォームを記憶するための第１のメモリ（スケジュールフォーム記憶部１１１）と、前記スケジュールフォームに基づく期間に関連付けられた画像データ（手書き画像）を記憶するための第２のメモリ（手書き画像データ記憶部１１２）と、前記画像データ（手書き画像）と、前記スケジュールフォームおよび前記期間に応じた日付情報に基づいたスケジュール画像（スケジュールページ画像）とを重畳して表示装置（タッチパネル１３）に表示するための表示手段（表示部１０５）とを備える、情報処理装置。
【００８６】
（２）
日付情報を示すカレンダーを表示するためのカレンダー表示手段（カレンダー表示部１０４）をさらに備え、前記カレンダー表示手段は、前記カレンダーのうちの前記第２のメモリに記憶されている前記画像データに関連付けられた期間に含まれる日付情報を表わす部分と前記期間に含まれない日付情報を表わす部分とを区別して表示する、（１）に記載の情報処理装置。
【００８７】
（３）
タッチパネルである前記表示装置に対するタッチ位置に従って得られる画像の入力を受け付けるための入力手段（画像入力部１０２）と、前記スケジュールフォームに基づく期間を指定して入力された画像を、前記期間に関連付けられた画像データ（手書き画像）として前記第２のメモリに格納するための格納手段（格納部１０３）とをさらに備える、（１）または（２）に記載の情報処理装置。
【００８８】
（４）
選択されたスケジュールフォームに対して指定された期間に基づいた日付情報を適用して前記スケジュール画像（スケジュールページ画像）を生成するための生成手段（生成部１０１）をさらに備える、（１）〜（３）のいずれかに記載の情報処理装置。
【００８９】
（５）
前記生成手段は、前記選択されたスケジュールフォームに基づく期間に応じて、前記指定された期間を調整するための調整手段（調整部１０６）を含む、（４）に記載の情報処理装置。
【００９０】
（６）
記憶されているスケジュールフォームに基づく期間に関連付けて、入力された画像データ（手書き画像）をメモリに記憶するステップ（＃１３、＃２２）と、前記画像データ（手書き画像）と、前記スケジュールフォームおよび前記期間に応じた日付情報に基づいたスケジュール画像（スケジュールページ画像）とを重畳して表示装置に表示するステップ（Ｓ４１７）とを備える、管理方法。
【００９１】
（７）
コンピュータにスケジュール管理を行なわせるためのプログラムであって、前記プログラムは前記コンピュータに、記憶されているスケジュールフォームに基づく期間に関連付けて、入力された画像データ（手書き画像）をメモリに記憶するステップ（＃１３、＃２２）と、前記画像データ（手書き画像）と、前記スケジュールフォームおよび前記期間に応じた日付情報に基づいたスケジュール画像（スケジュールページ画像）とを重畳して表示装置に表示するステップ（Ｓ４１７）とを実行させる、管理プログラム。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９３】
１０  ＣＰＵ、１１  ＲＯＭ、１２  ＲＡＭ、１３  タッチパネル、１４  電源ボタン、１５  通信Ｉ／Ｆ、１６  充電池、１００  携帯端末、１０１  生成部、１０２  画像入力部、１０３  格納部、１０４  カレンダー表示部、１０５  表示部、１０６  調整部、１１１  スケジュールフォーム記憶部、１１２  手書き画像データ記憶部、１１３  スケジュール画像記憶部、２００  スタイラスペン。
【図１】
2015088006.tif 000003
【図２】
2015088006.tif 000004
【図３】
2015088006.tif 000005
【図１３】
2015088006.tif 000006
【図１４】
2015088006.tif 000007
【図１５】
2015088006.tif 000008
【図１６】
2015088006.tif 000009
【図１７】
2015088006.tif 000010
【図１９】
2015088006.tif 000011
【図２２】
2015088006.tif 000012
【図２４】
2015088006.tif 000013
【図３６】
2015088006.tif 000014
【図３７】
2015088006.tif 000015
【図４０】
2015088006.tif 000016
【図４】
2015088006.tif 000017
【図５】
2015088006.tif 000018
【図６】
2015088006.tif 000019
【図７】
2015088006.tif 000020
【図８】
2015088006.tif 000021
【図９】
2015088006.tif 000022
【図１０】
2015088006.tif 000023
【図１１】
2015088006.tif 000024
【図１２】
2015088006.tif 000025
【図１８】
2015088006.tif 000026
【図２０】
2015088006.tif 000027
【図２１】
2015088006.tif 000028
【図２３】
2015088006.tif 000029
【図２５】
2015088006.tif 000030
【図２６】
2015088006.tif 000031
【図２７】
2015088006.tif 000032
【図２８】
2015088006.tif 000033
【図２９】
2015088006.tif 000034
【図３０】
2015088006.tif 000035
【図３１】
2015088006.tif 000036
【図３２】
2015088006.tif 000037
【図３３】
2015088006.tif 000038
【図３４】
2015088006.tif 000039
【図３５】
2015088006.tif 000040
【図３８】
2015088006.tif 000041
【図３９】
2015088006.tif 000042